(57)【要約】【課題】小型化と軽量化を実現でき、しかもペルチェ素子による熱交換を最大限に促進できる導風路構造を提供する。【解決手段】導風路構造１は、一端部３、及び他端部５を有する函体７と、函体７の一端部３、及び他端部５の互いに対向する位置に各々設けられた導入口９，１１と、これらの導入口９，１１に対して函体７の厚み方向に位置を違えて函体７の一端部３、及び他端部５に各々設けられた導出口１３，１５と、函体７の内部に配置される複数の熱電ユニットを支持する支持体１９と、支持体１９を挟む位置で互いに対面する２枚の規制板２１，２３とを備える。【選択図】図２
2010281514.tif 000002
【特許請求の範囲】
【請求項１】
ペルチェ素子の吸熱面に接合された吸熱フィン、及び放熱面に接合された放熱フィンに導かれる気体を導入する第１の導入路、及び第２の導入路と、
前記ペルチェ素子の吸熱フィン、及び放熱フィンに導かれる気体を導出する第１の導出路、及び第２の導出路と、
前記第１の導入路、及び第２の導入路に導入される気体が、前記第１の導出路、及び前記第２の導出路へ流れる向きを規制する導入孔、及び導出孔を有する２枚の規制板とを備え、
前記第１の導入路から前記第２の導出路へ流れる気体が、前記２枚の規制板のうち一の規制板の導入孔を通り前記ペルチェ素子の吸熱フィンに達し、前記２枚の規制板のうち他の規制板の導出孔を通過し、前記第２の導入路から前記第１の導出路へ流れる気体が、前記他の規制板の導入孔を通り前記ペルチェ素子の放熱フィンに達し、前記一の規制板の導出孔を通過することを特徴とする導風路構造。
【請求項２】
前記ペルチェ素子と前記２枚の規制板とが相対的に平行移動することにより、
前記第１の導入路から前記第２の導出路へ流れる気体が、前記２枚の規制板のうち一の規制板の導入孔を通り前記ペルチェ素子の吸熱フィンに達し、前記２枚の規制板のうち他の規制板の導出孔を通過し、前記第２の導入路から前記第１の導出路へ流れる気体が、前記他の規制板の導入孔を通り前記ペルチェ素子の放熱フィンに達し、前記一の規制板の導出孔を通過する状態と、
前記第１の導入路から前記第２の導出路へ流れる気体が、前記一の規制板の導入孔を通り前記ペルチェ素子の放熱フィンに達し、前記他の規制板の導出孔を通過し、前記第２の導入路から前記第１の導出路へ流れる気体が、前記他の規制板の導入孔を通り前記ペルチェ素子の吸熱フィンに達し、前記一の規制板の導出孔を通過する状態と、
を切替えられることを特徴とする請求項１に記載の導風路構造。
【請求項３】
吸熱面の反対側を放熱面としたペルチェ素子を、前記吸熱面に接合された吸熱フィンと、前記放熱面に接合された放熱フィンとの間に挟着した熱電ユニットに、気体を導く導風路構造であって、
互いに直交する方向の長さ、幅、及び厚みが規定された函体と、
前記函体の互いに対向する位置に各々設けられた第１の導入路、及び第２の導入路と、
前記函体の互いに対向する位置に、前記第１の導入路、及び第２の導入口に対して前記函体の厚み方向に位置を違えて各々設けられた第１の導出路、及び第２の導出路と、
前記ペルチェ素子を前記函体の内部で支持し、前記吸熱フィン、及び前記放熱フィンに気体を導く吸熱風路、及び放熱風路を形成した支持体と、
前記支持体を前記函体の長さ方向から挟む位置で互いに対向し、互いに前記厚み方向に位置を違えた導入口、及び導出口を有する２枚の規制板とを備え、
前記支持体に対して前記２枚の規制板のうち一の規制板が、その導入孔と導出孔とを前記支持体の吸熱風路と放熱風路とにそれぞれ合致させ、前記２枚の規制板のうち他の規制板が、その導入孔と導出孔とを前記支持体の放熱風路と吸熱風路とにそれぞれ合致させ、前記第１の導入路から前記第２の導出路へ流れる気体が、前記一の規制板の導入孔、前記吸熱風路、及び前記他の規制板の導出孔を通過し、前記第２の導入路から前記第１の導出路へ流れる気体が、前記他の規制板の導入孔、前記放熱風路、及び前記一の規制板の導出孔を通過することを特徴とする導風路構造。
【請求項４】
吸熱面の反対側を放熱面としたペルチェ素子を、前記吸熱面に接合された吸熱フィンと、前記放熱面に接合された放熱フィンとの間に挟着した熱電ユニットに、気体の導かれる方向を切り替える導風路構造であって、
互いに直交する方向の長さ、幅、及び厚みが規定された函体と、
前記函体の互いに対向する位置に各々設けられた第１の導入路、及び第２の導入路と、
前記函体の互いに対向する位置に、前記第１の導入路、及び第２の導入口に対して前記函体の厚み方向に位置を違えて各々設けられた第１の導出路、及び第２の導出路と、
前記ペルチェ素子を前記函体の内部で支持し、前記吸熱フィン、及び前記放熱フィンに気体を導く吸熱風路、及び放熱風路を形成した支持体と、
前記支持体を前記函体の長さ方向から挟む位置で互いに対向し、互いに前記厚み方向に位置を違えた導入口、及び導出口を有する２枚の規制板とを備え、
前記支持体と前記２枚の規制板とが、前記函体の幅方向に相対的に移動自在に前記函体に取付けられ、
前記支持体に対して前記２枚の規制板のうち一の規制板が、その導入孔と導出孔とを前記支持体の吸熱風路と放熱風路とにそれぞれ合致させる位置に移動し、前記２枚の規制板のうち他の規制板が、その導入孔と導出孔とを前記支持体の放熱風路と吸熱風路とにそれぞれ合致させる位置に移動することにより、前記第１の導入路から前記第２の導出路へ流れる気体が、前記一の規制板の導入孔、前記吸熱風路、及び前記他の規制板の導出孔を通過し、前記第２の導入路から前記第１の導出路へ流れる気体が、前記他の規制板の導入孔、前記放熱風路、及び前記一の規制板の導出孔を通過し、
前記支持体に対して前記一の規制板が、その導入孔と導出孔とを前記支持体の放熱風路と吸熱風路とにそれぞれ合致させる位置に移動し、前記他の規制板が、その導入孔と導出孔とを前記支持体の吸熱風路と放熱風路とにそれぞれ合致させる位置に移動することにより、前記第１の導入路から前記第２の導出路へ流れる気体が、前記一の規制板の導入孔、前記放熱風路、及び前記他の規制板の導出孔を通過し、前記第２の導入路から前記第１の導出路へ流れる気体が、前記他の規制板の導入孔、前記吸熱風路、及び前記一の規制板の導出孔を通過することを特徴とする導風路構造。
【請求項５】
前記２枚の規制板を前記函体に固定し、前記支持体を前記２枚の規制板に対して移動させる移動手段を備えることを特徴とする請求項２又は４に記載の導風路構造。
【請求項６】
前記支持体を前記函体に固定し、前記２枚の規制板を前記支持体に対して移動させる移動手段を備えることを特徴とする請求項２又は４に記載の導風路構造。
【発明の詳細な説明】
【技術分野】
【０００１】
本発明は、熱電素子のペルチェ効果を利用して気体の温度を調整する気体温調装置の導風路構造に関する。
【背景技術】
【０００２】
特許文献１に記載の調湿装置は、熱電素子であるペルチェ素子の吸熱作用により一方から導入される空気を冷却すると同時に、その放熱作用により他方から導入される空気を加熱するものである。同調湿装置を実際に運転するには、上記のように空気を導入するためのダクトと、空気の流れを切り替えるダンパー等が不可欠である。そこで、特許文献２に記載の給排気装置は、ペルチェ素子を吸熱フィンと放熱フィンとの間に挟着した熱電ユニットを形成し、その周囲に配置した複数のダクトに対して熱電ユニットを回転自在とし、複数のダクトの中から空気を熱電ユニットに導くダクト、及び熱電ユニットから空気を排出するダクトを選択できるようにしている。
【０００３】
しかしながら、熱電ユニットの性能を向上させるためにペルチェ素子の個数を増し、又はペルチェ素子に接続するヒートシンクを大型化すると、熱電ユニットを回転させるためのスペースが必要になる分、給排気装置を大型化、又は重量を増加するという問題がある。また、ヒートシンクにフィンを増設するためにフィン同士の間隔を狭くし、又は気体の流れる方向にフィンの奥行きを長くすると、フィン同士の間を流れる気体の圧力損失が著しくなる。このため、ダクトに気体を供給するための送風機等の出力を不要に増大するという問題がある。
【先行技術文献】
【特許文献】
【０００４】
【特許文献１】特開２００２−１１５８６９号公報
【特許文献２】特開２００５−２３０７１６号公報
【発明の概要】
【発明が解決しようとする課題】
【０００５】
本発明の目的とするところは、小型化と軽量化を実現でき、しかもペルチェ素子による熱交換を最大限に促進できる導風路構造を提供することにある。
【課題を解決するための手段】
【０００６】
本発明は上記目的を達成するため、ペルチェ素子の吸熱面に接合された吸熱フィン、及び放熱面に接合された放熱フィンに導かれる気体を導入する第１の導入路、及び第２の導入路と、前記ペルチェ素子の吸熱フィン、及び放熱フィンに導かれる気体を導出する第１の導出路、及び第２の導出路と、前記第１の導入路、及び第２の導入路に導入される気体が、前記第１の導出路、及び前記第２の導出路へ流れる向きを規制する導入孔、及び導出孔を有する２枚の規制板とを備え、前記第１の導入路から前記第２の導出路へ流れる気体が、前記２枚の規制板のうち一の規制板の導入孔を通り前記ペルチェ素子の吸熱フィンに達し、前記２枚の規制板のうち他の規制板の導出孔を通過し、前記第２の導入路から前記第１の導出路へ流れる気体が、前記他の規制板の導入孔を通り前記ペルチェ素子の放熱フィンに達し、前記一の規制板の導出孔を通過することを特徴とする。
【０００７】
また、本発明は、前記ペルチェ素子と前記２枚の規制板とが相対的に平行移動することにより、前記第１の導入路から前記第２の導出路へ流れる気体が、前記２枚の規制板のうち一の規制板の導入孔を通り前記ペルチェ素子の吸熱フィンに達し、前記２枚の規制板のうち他の規制板の導出孔を通過し、前記第２の導入路から前記第１の導出路へ流れる気体が、前記他の規制板の導入孔を通り前記ペルチェ素子の放熱フィンに達し、前記一の規制板の導出孔を通過する状態と、前記第１の導入路から前記第２の導出路へ流れる気体が、前記一の規制板の導入孔を通り前記ペルチェ素子の放熱フィンに達し、前記他の規制板の導出孔を通過し、前記第２の導入路から前記第１の導出路へ流れる気体が、前記他の規制板の導入孔を通り前記ペルチェ素子の吸熱フィンに達し、前記一の規制板の導出孔を通過する状態と、を切替えられることを特徴とする。
【０００８】
また、本発明は、吸熱面の反対側を放熱面としたペルチェ素子を、前記吸熱面に接合された吸熱フィンと、前記放熱面に接合された放熱フィンとの間に挟着した熱電ユニットに、気体を導く導風路構造であって、互いに直交する方向の長さ、幅、及び厚みが規定された函体と、前記函体の互いに対向する位置に各々設けられた第１の導入路、及び第２の導入路と、前記函体の互いに対向する位置に、前記第１の導入路、及び第２の導入口に対して前記函体の厚み方向に位置を違えて各々設けられた第１の導出路、及び第２の導出路と、前記ペルチェ素子を前記函体の内部で支持し、前記吸熱フィン、及び前記放熱フィンに気体を導く吸熱風路、及び放熱風路を形成した支持体と、前記支持体を前記函体の長さ方向から挟む位置で互いに対向し、互いに前記厚み方向に位置を違えた導入口、及び導出口を有する２枚の規制板とを備え、前記支持体に対して前記２枚の規制板のうち一の規制板が、その導入孔と導出孔とを前記支持体の吸熱風路と放熱風路とにそれぞれ合致させ、前記２枚の規制板のうち他の規制板が、その導入孔と導出孔とを前記支持体の放熱風路と吸熱風路とにそれぞれ合致させ、前記第１の導入路から前記第２の導出路へ流れる気体が、前記一の規制板の導入孔、前記吸熱風路、及び前記他の規制板の導出孔を通過し、前記第２の導入路から前記第１の導出路へ流れる気体が、前記他の規制板の導入孔、前記放熱風路、及び前記一の規制板の導出孔を通過することを特徴とする。
【０００９】
また、本発明は、吸熱面の反対側を放熱面としたペルチェ素子を、前記吸熱面に接合された吸熱フィンと、前記放熱面に接合された放熱フィンとの間に挟着した熱電ユニットに、気体の導かれる方向を切り替える導風路構造であって、互いに直交する方向の長さ、幅、及び厚みが規定された函体と、前記函体の互いに対向する位置に各々設けられた第１の導入路、及び第２の導入路と、前記函体の互いに対向する位置に、前記第１の導入路、及び第２の導入口に対して前記函体の厚み方向に位置を違えて各々設けられた第１の導出路、及び第２の導出路と、前記ペルチェ素子を前記函体の内部で支持し、前記吸熱フィン、及び前記放熱フィンに気体を導く吸熱風路、及び放熱風路を形成した支持体と、前記支持体を前記函体の長さ方向から挟む位置で互いに対向し、互いに前記厚み方向に位置を違えた導入口、及び導出口を有する２枚の規制板とを備え、前記支持体と前記２枚の規制板とが、前記函体の幅方向に相対的に移動自在に前記函体に取付けられ、前記支持体に対して前記２枚の規制板のうち一の規制板が、その導入孔と導出孔とを前記支持体の吸熱風路と放熱風路とにそれぞれ合致させる位置に移動し、前記２枚の規制板のうち他の規制板が、その導入孔と導出孔とを前記支持体の放熱風路と吸熱風路とにそれぞれ合致させる位置に移動することにより、前記第１の導入路から前記第２の導出路へ流れる気体が、前記一の規制板の導入孔、前記吸熱風路、及び前記他の規制板の導出孔を通過し、前記第２の導入路から前記第１の導出路へ流れる気体が、前記他の規制板の導入孔、前記放熱風路、及び前記一の規制板の導出孔を通過し、前記支持体に対して前記一の規制板が、その導入孔と導出孔とを前記支持体の放熱風路と吸熱風路とにそれぞれ合致させる位置に移動し、前記他の規制板が、その導入孔と導出孔とを前記支持体の吸熱風路と放熱風路とにそれぞれ合致させる位置に移動することにより、前記第１の導入路から前記第２の導出路へ流れる気体が、前記一の規制板の導入孔、前記放熱風路、及び前記他の規制板の導出孔を通過し、前記第２の導入路から前記第１の導出路へ流れる気体が、前記他の規制板の導入孔、前記吸熱風路、及び前記一の規制板の導出孔を通過することを特徴とする。
【００１０】
また、本発明は、前記２枚の規制板を前記函体に固定し、前記支持体を前記２枚の規制板に対して移動させる移動手段を備えることを特徴とする。
【００１１】
また、本発明は、前記支持体を前記函体に固定し、前記２枚の規制板を前記支持体に対して移動させる移動手段を備えることを特徴とする。
【発明の効果】
【００１２】
本発明に係る導風路構造によれば、熱電ユニットに導かれる空気の流れを切り替えるダンパー等が不要であり、また空気の流れる風路に対して熱電ユニットを回転させるためのスペースが不要である。このため、当該導風路構造は、その函体が熱電ユニットを収納できる大きさであれば足りるので、当該導風路構造を小型化し軽量化するのに有利である。
【００１３】
更に、本発明に係る導風路構造によれば、熱電ユニットの個数を増減させることにより、放熱風路、及び吸熱風路を通過する気体を冷却する性能、又は気体に放熱する熱量を調整することができる。この場合、複数の熱電ユニットを支持体の移動する方向に並べれば、気体が吸熱フィン、及び放熱フィンに沿って流れる距離を増大させなくて済むので、気体の圧力損失を抑えることができる。
【図面の簡単な説明】
【００１４】
【図１】本発明の第１の実施形態に係る導風路構造の一部を破断した平面図。
【図２】本発明の第１の実施形態に係る導風路構造の一部を破断した正面図。
【図３】本発明の第１の実施形態に係る導風路構造の側面図。
【図４】本発明の第１の実施形態に係る導風路構造に適用した複数の熱電ユニットを支持する支持体を図１の矢印Ａ−Ａ線方向から見た側面図。
【図５】（ａ）は本発明の第１の実施形態に係る導風路構造に適用した２枚の規制板のうちの一の規制板を図１の矢印Ｂ−Ｂ線方向から見た側面図、（ｂ）はその他の規制板を矢印Ｃ−Ｃ線方向から見た側面図。
【図６】図４のＤ−Ｄ線断面図。
【図７】本発明の第１の実施形態に係る導風路構造に適用した熱電ユニットの分解斜視図。
【図８】本発明の第１の実施形態に係る導風路構造に適用した支持体に対する２枚の規制板のうちの一の規制板の配置の一例を図１の矢印Ｂ−Ｂ線方向から表した側面図。
【図９】本発明の第１の実施形態に係る導風路構造に適用した２枚の規制板の作用の一例を説明するのに支持体の一部を破断した概念図。
【図１０】本発明の第１の実施形態に係る導風路構造に適用した支持体に対する２枚の規制板のうちの一の規制板の配置の他例を図１の矢印Ｂ−Ｂ線方向から表した側面図。
【図１１】本発明の第１の実施形態に係る導風路構造に適用した２枚の規制板の作用の他例を説明するのに支持体の一部を破断した概略図。
【図１２】本発明の第１の実施形態に係る導風路構造に適用した函体と支持体との気密構造を示す断面図。
【図１３】本発明の第２の実施形態に係る導風路構造の平面図。
【図１４】本発明の第２の実施形態に係る導風路構造の正面図。
【図１５】本発明の第２の実施形態に係る導風路構造の側面図。
【図１６】（ａ）は本発明の第２の実施形態に係る導風路構造に適用した２枚の規制板のうちの一の規制板の側面図、（ｂ）はその他の規制板の側面図。
【図１７】本発明の第１の実施形態に係る導風路構造の変形例を示す正面図。
【図１８】本発明の第１の実施形態に係る導風路構造の更なる変形例を示す正面図。
【発明を実施するための形態】
【００１５】
本発明の第１の実施形態に係る導風路構造ついて図面に基づき説明する。図面は特に断らない限り図１乃至図５を参照する。
【００１６】
導風路構造１は、一端部３、及び他端部５を有する函体７と、函体７の一端部３、及び他端部５の互いに対向する位置に各々設けられた導入口９，１１と、これらの導入口９，１１に対して函体７の厚み方向に位置を違え函体７の一端部３、及び他端部５の互いに対向する位置に各々設けられた導出口１３，１５と、函体７の内部に配置される複数の熱電ユニット１７を支持する支持体１９と、支持体１９を函体７の長さ方向から挟む位置で互いに対面する２枚の規制板２１，２３とを備える。図中の矢印Ｗ、Ｌ、Ｔは、函体７の幅方向、長さ方向、及び厚み方向を各々指している。
【００１７】
熱電ユニット１７は、図６，７に示すように、吸熱面２５の反対側を放熱面２７としたペルチェ素子２９を、吸熱面２５にフィンベース３１を介して接合される吸熱フィン３３と、放熱面２７にフィンベース３１を介して接合される放熱フィン３５との間に挟着したものである。吸熱フィン３３は、アルミニウムの薄板を波形に塑性変形させたコルゲートフィンである。吸熱フィン３３の表面にシリカゲル等の吸湿剤を定着させても良い。放熱フィン３５は吸熱フィン３３と同様のものである。
【００１８】
支持体１９は、縦材３７，３９、及び２本の横材４１を方形に枠組みし、これらの内側を空気等の気体が長さ方向に通過できる開口部４３としたものである。また、支持体１９は、函体７の正面４５の挿通口４７から函体７の内部に差し込まれており、函体７に対して幅方向に自在に移動できる。挿通口４７は、函体７の正面４５と背面４９の互いに対向する位置に形成されている。支持体１９の開口部４３には、複数の熱電ユニット１７が位置決めされ、それぞれのペルチェ素子２９の間が、３つの吸熱風路５１，５３，５５と、３つの放熱風路５７，５９，６１とに区分されている。
【００１９】
また、複数の熱電ユニット１７は、支持体１９の開口部４３を気体が通過する方向を横切る幅方向に並べられており、この並び順に、それぞれの吸熱フィン３３を縦材３７へ向ける姿勢と、それぞれの吸熱フィン３３を縦材３９へ向ける姿勢とを交互に違えている。吸熱風路５１，５３は、互いに幅方向に隣り合う熱電ユニット１７がそれぞれの吸熱フィン３３を相対向させる領域である。吸熱風路５５は、縦材３９とこれに対面する熱電ユニット１７のペルチェ素子２９との間の領域である。放熱風路５７は、縦材３７とこれに対面する熱電ユニット１７のペルチェ素子２９との間の領域である。放熱風路５９，６１は、互いに幅方向に隣り合う熱電ユニット１７がそれぞれの放熱フィン３５を相対向させる領域である。
【００２０】
函体７は、２枚の分割板６３と１２枚の分流板６５とを内装している。分割板６３は、函体７の一端部３、及び他端部５の内部を厚み方向に２分することにより、第１、第２の導入路６７，６９、及び第１、第２の導出路７１，７３を形成するものである。分流板６５は、６枚ずつ規制板２１と支持体１９の間、及び支持体１９と規制板２３との間に配置され、函体７の内部を複数の分流路７５に仕切るものである。導出口１３，１５には、第１、第２の導出路７１，７３から気体を吸引し函体７の外側へ排出するためのファン７７が設けられている。
【００２１】
規制板２１，２３は函体７に固定されている。規制板２１は、３つの導入孔７９，８１，８３と、４つの導出孔８５，８７，８９，９１とを形成している。導入孔７９，８１，８３に対して、導出孔８５，８７，８９，９１は厚み方向に位置を違えている。更に、導入孔７９，８１，８３、及び導出孔８５，８７，８９，９１の幅方向の位置は、図１の右側に表れた７つの分流路７５にそれぞれ合致している。規制板２３は、４つの導入孔７９０，８１０，８３０，９３０と、３つの導出孔８５０，８７０，８９０とを形成している。導入孔７９０，８１０，８３０，９３０に対して、導出孔８５０，８７０，８９０は厚み方向に位置を違えている。更に、導入孔７９０，８１０，８３０，９３０、及び導出孔８５０，８７０，８９０の幅方向の位置は、図１の左側に表れた７つの分流路７５にそれぞれ合致している。
【００２２】
支持体１９が図３に表れた位置にあるとき、図８に示すように、支持体１９の吸熱風路５１，５３，５５が、規制板２１の導入孔７９，８１，８３にそれぞれ合致し、支持体１９の放熱風路５７，５９，６１が、規制板２１の導出孔８５，８７，８９にそれぞれ合致する。規制板２１の導出孔９１は、縦材３９によって第１の導出路７１から遮られる。また、支持体１９の放熱風路５７，５９，６１が、規制板２３の導入孔７９０，８１０，８３０にそれぞれ合致し、支持体１９の吸熱風路５１，５３，５５が、規制板２３の導出孔８５０，８７０，８９０にそれぞれ合致する。規制板２３の導入孔９３０は、縦材３９によって第２の導出路７３から遮られる。
【００２３】
この状態で、ペルチェ素子２９に、その吸熱面２５から放熱面２７へ熱が移動するように電流を供給する。そして、２つのファン７７を起動させると、図９に矢印Ｉ，Ｘで示すように気体が流れる。同図は、吸熱風路５３、及び放熱風路５９を通過する気体にだけ注目した概念を表している。実際の気体の流れは次の通りである。
【００２４】
即ち、気体が函体７の外側から導入口９を経て第１の導入路６７に導かれ、規制板２１の導入孔７９，８１，８３、吸熱風路５１，５３，５５、及び規制板２３の導出孔８５０，８７０，８９０を通過して第２の導出路７３に達し、導出口１５から函体７の外側へ導出される。一方、導入口１１から第２の導入路６９に導かれる気体が、規制板２３の導入孔７９０，８１０，８３０、放熱風路５７，５９，６１、及び規制板２１の導出孔８５，８７，８９を通過して第１の導出路７１に達し、導出口１３から函体７の外側へ導出される。
【００２５】
上記のように吸熱風路５１，５３，５５を通過する気体と、総ての熱電ユニット１７のそれぞれの吸熱フィン３３との間で、同時に熱交換が行われるので、導風路構造１は気体を効果的に冷却し、導出口１３，１５から排出することができる。また、上記のように放熱風路５７，５９，６１を通過する気体と、総ての熱電ユニット１７のそれぞれの放熱フィン３５との間で、同時に熱交換が行われるので、導風路構造１はペルチェ素子２９の放熱面２７の熱を効率よく放熱させることができる。
【００２６】
導風路構造１は、以上の動作とその休止を一定周期で繰り返すバッチ処理を行うことができる。これにより、導風路構造１は連続的に気体の温度と湿度を調整することができる。また、バッチ処理の周期を増減することにより温度と湿度を所望に制御できる。例えば、バッチ処理の周期を短くすれば、除湿能力は増加するが、冷却能力（顕熱処理）は低下する。逆にバッチ処理の周期を長くすれば、除湿能力は低下するが、冷却能力は増加する。ここまで、導風路構造１による除湿冷房について記したが、ペルチェ素子２９に、その放熱面２７から吸熱面２５へ熱が移動するように電流を供給すれば、加湿暖房も行える。
【００２７】
また、吸熱フィン３３、及び放熱フィン３５にシリカゲルが定着されている場合、導風路構造１が除湿冷房を行うときに、気体に含まれる水蒸気を吸熱フィン３３のシリカゲルに吸湿させることができる。このシリカゲルが飽和状態に達したところで、ペルチェ素子２９に、その放熱面２７から吸熱面２５へ熱が移動するように電流を供給すると、導風路構造１は、吸熱風路５１，５３，５５を通過する気体に、ペルチェ素子２９の放熱面２７の熱を放熱し、吸熱フィン３３のシリカゲルに吸湿された水分を蒸発させることができる。
【００２８】
更に、導風路構造１は、規制板２１，２３に対して支持体１９を幅方向に移動する移動手段９５を備える。移動手段９５は、エアシリンダ、又は油圧シリンダのピストンロッド９７に、連結部材９９を介して支持体１９を連結している。図１は、移動手段９５がピストンロッド９７を前進させた状態を示している。
【００２９】
移動手段９５がピストンロッド９７を後退させると、図１０に示すように、支持体１９の放熱風路５７，５９，６１が、規制板２１の導入孔７９，８１，８３にそれぞれ合致し、支持体１９の吸熱風路５１，５３，５５が、規制板２１の導出孔８７，８９，９１にそれぞれ合致する。規制板２１の導出孔８５は、縦材３７によって第１の導出路７１から遮られる。また、支持体１９の吸熱風路５１，５３，５５が、規制板２３の導入孔８１０，８３０，９３０にそれぞれ合致し、支持体１９の放熱風路５７，５９，６１が、規制板２３の導出孔８５０，８７０，８９０にそれぞれ合致する。規制板２３の導出孔８５０は、縦材３７によって第１の導出路７１から遮られる。
【００３０】
この状態で、ペルチェ素子２９に、その吸熱面２５から放熱面２７へ熱が移動するように電流を供給する。そして、２つのファン７７を起動させると、図１１に矢印Ｉ，Ｘで示すように気体が流れる。同図は、吸熱風路５３及び放熱風路５９を通過する気体にだけ注目した概念を表している。実際の気体の流れは次の通りである。
【００３１】
即ち、気体が函体７の外側から導入口９を経て第１の導入路６７に導かれ、規制板２１の導入孔７９，８１，８３、放熱風路５７，５９，６１、及び規制板２３の導出孔８５０，８７０，８９０を通過して第２の導出路７３に達し、導出口１５から函体７の外側へ導出される。一方、導入口１１から第２の導入路６９に導かれる気体が、規制板２３の導入孔８１０，８３０，９３０、吸熱風路５１，５３，５５、及び規制板２１の導出孔８５，８７，８９を通過して第１の導出路７１に達し、導出口１３から函体７の外側へ導出される。
【００３２】
以上に述べた導風路構造１によれば、熱電ユニット１７に導かれる気体の流れを切り替えるダンパー等が不要であり、また気体の流れる風路等に対して熱電ユニット１７を回転させるためのスペースが不要である。このため、函体７は熱電ユニット１７を収納できる大きさであれば足りるので、導風路構造１の全体を小型化し軽量化することができる。
【００３３】
更に、熱電ユニット１７の個数を増減させることにより、放熱風路、及び吸熱風路を通過する気体を冷却する性能、又は気体に放熱する熱量を調整することができる。この場合、複数の熱電ユニット１７を支持体１９の移動する幅方向に並べれば、気体が個々の熱電ユニット１７の吸熱フィン３３、及び放熱フィン３５に沿って流れる距離を増大させなくて済むので、気体の圧力損失を抑えることができる。
【００３４】
また、函体７の適所にその気密を保つためのシール材を設けても良い。図１２に示すように、断面形状が三角形で厚み方向に延びる弾性体１０１を、函体７の正面４５に形成された挿通口４７の口縁に取付け、弾性体１０１と同様の弾性体１０３を、支持体１９の縦材３７に取付けても良い。同図は、支持体１９が矢印Ｆ方向に前進したとき、弾性体１０１に弾性体１０３が密接する例を示している。
【００３５】
次に、本発明の第２の実施形態について導風路構造１との相違点を説明する。図面は特に断らない限り図１３乃至図１６を参照する。
【００３６】
第２の実施形態に係る導風路構造１０は、支持体１９を函体７に固定し、規制板２１，２３を、函体７の正面４５に形成したスリット状の挿通口４７から函体７の内部に差し込んでいる。２枚の規制板２１，２３は、連結部材９６で互いに接合され、連結部材９６を介して移動手段９５のピストンロッド９７に連結されている。規制板２１は、外側導入孔１０７と内側導入孔１０９とを合わせて導入孔７９とし、外側導入孔１１１と内側導入孔１１３とを合わせて導入孔８３としている。規制板２３は、外側導出孔１１５と内側導出孔１１７とを合わせて導出孔８５０とし、外側導出孔１１９と内側導出孔１２１とを合わせて導出孔８９０としている。
【００３７】
移動手段９５がピストンロッド９７を矢印Ｆ方向へ前進させ、規制板２１，２３が図１５に表れた位置にあるとき、規制板２１は、その外側導入孔１０７、及び導出孔８５を函体７の正面４５から突出させるが、内側導入孔１０９を放熱風路５７に合致させる。一方、規制板２３は、その導入孔７９０、及び外側導出孔１１５を函体７の正面４５から突出させるが、内側導出孔１１７を放熱風路５７に合致させる。
【００３８】
或いは、移動手段９５がピストンロッド９７を矢印Ｂ方向へ後退させると、規制板２１は、その外側導入孔１１１、及び導出孔９１を函体７の背面４９から突出させるが、内側導入孔１１３を吸熱風路５５に合致させる。一方、規制板２３は、その導入孔９３０、及び外側導出孔１１９を函体７の背面４９から突出させるが、内側導出孔１２１を吸熱風路５５に合致させる。
【００３９】
また、図１２に示す弾性体１０３を規制板２１，２３に取付けても良い。この場合、規制板２１の外側導入孔１０７と内側導入孔１０９との間を通る位置、及び外側導入孔１１１と内側導入孔１１３とを通る位置に、弾性体１０３が取付けられる。更に、規制板２３の外側導出孔１１５と内側導出孔１１７との間を通る位置、及び外側導出孔１１９と内側導出孔１２１とを通る位置に、弾性体１０３が取付けられる。
【００４０】
図１７は、導風路構造１の変形例を使用して、室内の温度を調整する例を示している。上記の移動手段は省略されており、支持体１９、及び規制板２１，２３は函体７に固定されている。支持体１９、及び規制板２１，２３の相互の配置は、図８に照らして既に説明した通りである。符号１２３は室内と室外を遮断する壁を指している。室内の空気は、吸気口１２５を室内に解放したダクト１２６を介して、室外に設置された導風路構造１の導入口９に達している。導風路構造１の導入口１１、及び導出口１３は室外に解放されている。
【００４１】
室内を冷房する場合、導風路構造１のペルチェ素子２９に、その吸熱面２５から放熱面２７へ熱が移動するように電流を供給し、２つのファン７７を起動させる。これにより、室内の空気は、導入口９から吸熱風路５１，５３，５５を通過し、更に導出口１５から室内へ循環する。室外の空気は、導入口１１から放熱風路５７，５９，６１を通過し、導出口１３から排出される。室内を暖房する場合、導風路構造１のペルチェ素子２９に、その放熱面２７から吸熱面２５へ熱が移動するように電流を供給し、上記のように室内の空気を循環させれば良い。
【００４２】
図１８は、導風路構造１の更なる変形例を使用して、室内の換気と室内の温度を調整する例を示している。この場合、函体７に端部開口１２７を解放し、函体７の他端部を室内へ向けて全開させる。図１の左側に表れた分割板６３、分流板６５、及び規制板２３を省略し、規制板２１を函体７に固定する。また、導入口９に設けられたファン７８は、噴出口１２９を室内に解放したダクト１３０に、函体７の内部から空気を送風するものである。
【００４３】
室内を冷房する場合、導風路構造１のペルチェ素子２９に、その吸熱面２５から放熱面２７へ熱が移動するように電流を供給し、２つのファン７７，７８を起動させると、室内の空気は、端部開口１２７から吸熱風路５１，５３，５５、及び放熱風路５７，５９，６１に同時に流入する。そして、吸熱風路５１，５３，５５に流入した空気が冷却され、規制板２１の導入孔７９，８１，８３を通過し、導入口９からダクト１３０を介して室内へ循環する。放熱風路５７，５９，６１に流入した空気は、規制板２１の導出孔８５，８７，８９を経て導出口１３から室外へ排気される。
【００４４】
室内を暖房する場合、導風路構造１のペルチェ素子２９に、その放熱面２７から吸熱面２５へ熱が移動するように電流を供給する。これにより、吸熱風路５１，５３，５５に流入する空気が加熱され、規制板２１の導入孔７９，８１，８３を通過し、導入口９からダクト１３０を介して室内へ循環する。放熱風路５７，５９，６１に流入する空気は、規制板２１の導出孔８５，８７，８９を経て導出口１３から室外へ排気される。
【００４５】
或いは、規制板２１を函体７に対して幅方向に移動自在に取付けても良い。この場合、放熱風路５７，５９，６１、及び吸熱風路５１，５３，５５に、それぞれ規制板２１の導入孔７９，８１，８３、及び導出孔８５，８７，８９が合致させれば、電流を切り換えることなく室内を次のように暖房できる。即ち、上記の冷房を行うときと同じように電流をペルチェ素子２９に供給した状態で、放熱風路５７，５９，６１で加熱される空気は、導入孔７９，８１，８３を通過し、導入口９からダクト１３０を介して室内へ循環する。吸熱風路５１，５３，５５に流入する空気は、導出孔８５，８７，８９を経て導出口１３から室外へ排気される。
【００４６】
尚、本発明は、その趣旨を逸脱しない範囲で当業者の知識に基づいて種々なる改良、修正、又は変形を加えた態様でも実施することができる。例えば、吸熱風路、又は放熱風路の何れか一方に、温風、又は冷風を送風し、ペルチェ素子２９の吸熱面２５と放熱面２７との間に温度差を生じさせても良い。これにより、ペルチェ素子２９に起電力を発生させることができる。また、複数の分流路７５は必須の要素ではなく、分流板６５を省略し支持体１９に２枚の規制板２１，２３を近接させても、本発明の実施が妨げられることはない。
【産業上の利用可能性】
【００４７】
本発明は、電機部品を冷却、又は室内の温度調整をするのに使用できる。
【符号の説明】
【００４８】
１，１０…導風路構造、３…一端部、５…他端部、７…函体、９，１１…導入口、１３，１５…導出口、１７…熱電ユニット、１９…支持体、２１，２３…規制板、２５…吸熱面、２７…放熱面、２９…ペルチェ素子、３３…吸熱フィン、３５…放熱フィン、４３…開口部、４５…正面、４７…挿通口、４９…背面、５１，５３，５５…吸熱風路、５７，５９，６１放熱風路、６３…分割板、６５…分流板、６７…第１の導入路、６９…第２の導入路、７１…第１の導出路、７３…第２の導出路、７５…分流路、７７…ファン、７９，８１，８３…導入孔、８５，８７，８９，９１…導出孔、７９０，８１０，８３０，９３０…導入孔、８５０，８７０，８９０…導出孔、９５…移動手段、９７…ピストンロッド、９６，９９…連結部材、１０１，１０３…弾性体、１０７，１１１…外側導入孔、１０９，１１３…内側導入孔、１１５，１１９…外側導出孔、１１７，１２１…内側導出孔、１２７…端部開口。 
【図１】
2010281514.tif 000003
【図２】
2010281514.tif 000004
【図３】
2010281514.tif 000005
【図４】
2010281514.tif 000006
【図５】
2010281514.tif 000007
【図６】
2010281514.tif 000008
【図７】
2010281514.tif 000009
【図８】
2010281514.tif 000010
【図９】
2010281514.tif 000011
【図１０】
2010281514.tif 000012
【図１１】
2010281514.tif 000013
【図１２】
2010281514.tif 000014
【図１３】
2010281514.tif 000015
【図１４】
2010281514.tif 000016
【図１５】
2010281514.tif 000017
【図１６】
2010281514.tif 000018
【図１７】
2010281514.tif 000019
【図１８】
2010281514.tif 000020